(57)【要約】【課題】ＵＶ−ＬＥＤ光のエネルギーを従来と比べて多く殺菌に用いることが出来る、流体用ＵＶ殺菌装置を提供する。【解決手段】内部に流体が流れる第一の配管と、第一の配管に、第一の配管内部を照射するように設けた少なくとも一つのＵＶ−ＬＥＤ光源と、第一の配管内面に設けた反射面とを有し、反射面は、ＵＶ−ＬＥＤ光源から照射されたＵＶ−ＬＥＤ光を、第一の配管の長さ方向中央側に向けて反射する、反射部を有することを特徴とした、流体用ＵＶ殺菌装置。【選択図】図１
2015128494.tif 000002
【特許請求の範囲】
【請求項１】
内部に流体が流れる第一の配管と、
前記第一の配管に、前記第一の配管内部を照射するように設けたＵＶ−ＬＥＤ光源とを有し、
前記第一の配管内面を反射面とし、
前記反射面に、前記ＵＶ−ＬＥＤ光源から照射されたＵＶ−ＬＥＤ光を、前記反射面による反射に比べて前記第一の配管の長さ方向中央側に向けて反射する反射部を設けたことを特徴とした、流体用ＵＶ殺菌装置。
【請求項２】
前記第一の配管内部に流体を通す第二の配管を有し、
前記第二の配管は、前記ＵＶ−ＬＥＤ光を透過する材料で形成された、
請求項１記載の流体用ＵＶ殺菌装置。
【請求項３】
前記第一の配管と第二の配管とは、互いに密接している、
請求項２記載の流体用ＵＶ殺菌装置。
【請求項４】
前記第二の配管は、石英または硼珪酸硝子で形成された、
請求項２又は３に記載の流体用ＵＶ殺菌装置。
【請求項５】
前記反射部は螺旋状溝である、
請求項１乃至４の何れか一項に記載の流体用ＵＶ殺菌装置。
【請求項６】
前記反射面はアルミニウムで形成された、
請求項１乃至５の何れか一項に記載の流体用ＵＶ殺菌装置。
【発明の詳細な説明】
【技術分野】
【０００１】
本発明は、流体用ＵＶ殺菌装置に関する。
【背景技術】
【０００２】
従来より、配管に紫外光源及び反射面を設け、配管内部に流れる流体を殺菌する装置が知られている。（特許文献１参照）
【先行技術文献】
【特許文献】
【０００３】
【特許文献１】特開２０１３−５６１５９号公報
【発明の概要】
【発明が解決しようとする課題】
【０００４】
しかしながら、従来の流体用ＵＶ殺菌装置では、配管に設けた紫外光源から照射された紫外光が、反射面によって反射され、配管の両端方向へと向かう。これにより、紫外光は容易に配管外へと出るため、紫外光のエネルギーを十分に殺菌に用いることが出来なかった。
【０００５】
そこで、本発明は、配管に設けた紫外光源から照射される紫外光のエネルギーを、従来よりも多く殺菌に用いることが出来る流体用ＵＶ殺菌装置を提供することを目的とする。
【課題を解決するための手段】
【０００６】
本発明に係る流体用ＵＶ殺菌装置は、内部に流体が流れる第一の配管と、第一の配管に、第一の配管内部を照射するように設けたＵＶ−ＬＥＤ光源とを有し、第一の配管内面を反射面とし、反射面に、ＵＶ−ＬＥＤ光源から照射されたＵＶ−ＬＥＤ光を反射面による反射に比べて第一の配管の長さ方向中央側に向けて反射する、反射部を設けている。
【０００７】
また、本発明に係る流体用ＵＶ殺菌装置は、第一の配管内部に流体を通す第二の配管を有し、第二の配管は、ＵＶ−ＬＥＤ光を透過する材料で形成してもよい。
【０００８】
また、本発明に係る流体用ＵＶ殺菌装置は、第一の配管と第二の配管とが、互いに密接してもよい。
【０００９】
また、本発明に係る流体用ＵＶ殺菌装置は、第二の配管を、石英または硼珪酸硝子で形成してもよい。
【００１０】
また、本発明に係る流体用ＵＶ殺菌装置は、反射部を螺旋状溝としてもよい。
【００１１】
また、本発明に係る流体用ＵＶ殺菌装置は、反射面をアルミニウムで形成してもよい。
【発明の効果】
【００１２】
本発明により、流体用ＵＶ殺菌装置において、従来よりも優れた殺菌効果が得られる。
【図面の簡単な説明】
【００１３】
【図１】本発明の実施形態１に係る流体用ＵＶ殺菌装置を配管長さ方向に垂直な方向から見た概略図である。
【図２】本発明の実施形態１に係る流体用ＵＶ殺菌装置の、反射面によるＵＶ−ＬＥＤ光反射態様例を示した図である。
【図３】本発明の実施形態１に係る流体用ＵＶ殺菌装置の、反射部によるＵＶ−ＬＥＤ光反射態様例を示した図である。
【図４】本発明の実施形態２に係る流体用ＵＶ殺菌装置を配管長さ方向に垂直な方向から見た概略図である。
【発明を実施するための形態】
【００１４】
（実施形態１）
実施形態１に係る流体用ＵＶ殺菌装置は、図１のように、流体を流す第一の配管１に第一のＵＶ−ＬＥＤ光源２ａ及び第二のＵＶ−ＬＥＤ光源２ｂが設けられている。第一のＵＶ−ＬＥＤ光源２ａ及び第二のＵＶ−ＬＥＤ光源２ｂは第一の配管１の内部を照射するように設けられている。また、第一の配管１の内面はアルミニウムで形成された反射面３とされている。反射面３には、滑らかな曲面の底面を有する螺旋状溝で形成された反射部４が設けられている。
【００１５】
以下で、実施形態１に係る流体用ＵＶ殺菌装置による殺菌方法について説明する。
【００１６】
流体は配管入口部５から流体用殺菌装置に導入され、第一の配管１を流れて配管出口部６から排出される。その際、第一のＵＶ−ＬＥＤ光源２ａ及び第二のＵＶ−ＬＥＤ光源２ｂがＵＶ−ＬＥＤ光を流体へ照射することにより、殺菌を行う。
【００１７】
図２、図３に示した矢印は、ＵＶ−ＬＥＤ光の反射態様例である。流体へ照射されたＵＶ−ＬＥＤ光は図２のように、反射面３により反射される。これにより、流体はＵＶ−ＬＥＤ光源から直接照射されたＵＶ−ＬＥＤ光だけでなく、反射面３によって反射されたＵＶ−ＬＥＤ光によっても殺菌される。その際、ＵＶ−ＬＥＤ光の一部は、図３のように反射部４によって、反射面３による反射に比べて、第一の配管１の長さ方向中央側に向けて反射される。これにより、反射部４を設けない場合に比べて、ＵＶ−ＬＥＤ光源から照射されたＵＶ−ＬＥＤ光は第一の配管１内部に長時間留まることができる。よって、ＵＶ−ＬＥＤ光源から照射されたＵＶ−ＬＥＤ光のエネルギーを、従来よりも多く流体の殺菌に用いることが出来る。
【００１８】
本実施形態では反射部４を螺旋状溝としたことにより、配管内部の汚れを除去しやすく、長期にわたり、多重反射による殺菌効果を維持しやすい。
【００１９】
なお、反射部は本実施形態で示した連続した一重螺旋状溝に限られず、断続的に設けた複数の螺旋状溝や、二重以上の螺旋状溝や、配管周上に沿って設けられた一つ以上の溝や、乱反射面を形成する複数の凹凸など、反射面による反射に比べて、ＵＶ−ＬＥＤ光源から照射されたＵＶ−ＬＥＤ光を、第一の配管の長さ方向中央側に向けて反射するものであればよい。
【００２０】
また、反射面はアルミニウムに限られず、フッ素系樹脂など、ＵＶ−ＬＥＤ光を反射出来るものであればよい。
【００２１】
また、ＵＶ−ＬＥＤ光源の数は任意の数でよい。
【００２２】
また、ＵＶ−ＬＥＤ光源の配置は任意の配置でよい。
【００２３】
（実施形態２）
実施形態２に係る流体用ＵＶ殺菌装置は、図４のように、第一の配管１の内部に密接して、流体を流す第二の配管７が設けられている。第二の配管７は石英で形成されている。その他の構成は実施形態１と同様であるため、説明を省略する。
【００２４】
以下で、実施形態２に係る流体用ＵＶ殺菌装置による殺菌方法について説明する。
【００２５】
流体は配管入口部５から流体用殺菌装置に導入され、第二の配管７を流れて配管出口部６から排出される。その際、第一のＵＶ−ＬＥＤ光源２ａ及び第二のＵＶ−ＬＥＤ光源２ｂがＵＶ−ＬＥＤ光を照射し、第二の配管７を透過して流体にＵＶ−ＬＥＤ光を照射することにより、殺菌を行う。
【００２６】
本実施形態では第一の配管１内部に流体を流す第二の配管７を設けたことにより、管内を流れる流体の種類の選択肢が増える。
【００２７】
なお、反射部は本実施形態で示した連続した一重螺旋状溝に限られず、断続的に設けた複数の螺旋状溝や、二重以上の螺旋状溝や、配管周上に沿って設けられた一つ以上の溝や、乱反射面を形成する複数の凹凸など、反射面による反射に比べて、ＵＶ−ＬＥＤ光源から照射されたＵＶ−ＬＥＤ光を、第一の配管の長さ方向中央側に向けて反射するものであればよい。
【００２８】
また、反射面はアルミニウムに限られず、フッ素系樹脂など、ＵＶ−ＬＥＤ光を反射出来るものであればよい。
【００２９】
また、第二の配管材料は石英に限られず、硼珪酸硝子、ポリテトラフルオロエチレンなど、ＵＶ−ＬＥＤ光を透過出来るものであればよい。
【００３０】
また、第一の配管と第二の配管の配置は密接している場合に限られず、第一の配管内部に間隔を隔てて第二の配管を設けてもよい。
【００３１】
また、ＵＶ−ＬＥＤ光源の数は任意の数でよい。
【００３２】
また、ＵＶ−ＬＥＤ光源の配置は任意の配置でよい。
【００３３】
上述の実施形態において説明した各図は、模式的なものであり、各構成要素の大きさや厚さそれぞれの比が、必ずしも実際のものの寸法比を反映しているとは限らない。また、実施形態に記載した材料、数値等は、好ましいものを例示しているだけであり、それに限定するものではない。更に、本願発明は、その技術的思想の範囲を逸脱しない範囲で、構成に適宜変更を加えることが可能である。
【符号の説明】
【００３４】
１  第一の配管
２ａ  第一のＵＶ−ＬＥＤ光源
２ｂ  第二のＵＶ−ＬＥＤ光源
３  反射面
４  反射部
５  配管入口部
６  配管出口部
７  第二の配管
【図１】
2015128494.tif 000003
【図２】
2015128494.tif 000004
【図３】
2015128494.tif 000005
【図４】
2015128494.tif 000006